(57)【要約】  本開示は、指紋走査方法及び移動端末を提供する。移動端末は、第１指紋走査モジュール及び第２指紋走査モジュールを含む。方法において、第１指紋走査モジュールの走査領域に対して行われた操作を傍受することと、所定の指紋応用シーンに進入することを指示する操作を傍受した場合、動作モードに進入するように第２指紋走査モジュールに指示するためのウェイクアップ命令を第２指紋走査モジュールに送信することとを含む。【選択図】図３
2021516826.tif 000002
【特許請求の範囲】
【請求項１】
第１指紋走査モジュール及び第２指紋走査モジュールを含む移動端末に応用される指紋走査方法において、
前記第１指紋走査モジュールの走査領域に対して行われた操作を傍受することと、
所定の指紋応用シーンに進入することを指示する操作を傍受した場合、動作モードに進入するように前記第２指紋走査モジュールに指示するためのウェイクアップ命令を前記第２指紋走査モジュールに送信することとを含み、
ここで、前記第１指紋走査モジュールの走査領域は、前記第２指紋走査モジュールの走査領域よりも大きく、前記第２指紋走査モジュールの解像度は、前記第１指紋走査モジュールの解像度よりも大きい、指紋走査方法。
【請求項２】
所定の指紋応用シーンに進入することを指示する操作を傍受した場合、スリープモードに進入するように前記第１指紋走査モジュールに指示するためのスリープ命令を前記第１指紋走査モジュールに送信することを更に含む、請求項１に記載の指紋走査方法。
【請求項３】
ウェイクアップ命令を前記第２指紋走査モジュールに送信した後に、
前記第２指紋走査モジュールで収集された指紋画像を特定することと、
前記指紋画像を、前記第２指紋走査モジュールの解像度に基づいて収集された予め記憶された第１指紋画像と比較して比較結果を取得することと、
前記比較結果に基づいて、前記所定の指紋応用シーンに対応する承認条件を前記指紋画像が満たすか否かを特定することとを更に含む、請求項１に記載の指紋走査方法。
【請求項４】
ウェイクアップ命令を前記第２指紋走査モジュールに送信した後に、
前記移動端末のタッチスクリーンにおける目標領域に対しマーキング処理を行うことを更に含み、前記目標領域は前記第２指紋走査モジュールの走査領域に対応する、請求項１に記載の指紋走査方法。
【請求項５】
ウェイクアップ命令を前記第２指紋走査モジュールに送信した後に、
前記所定の指紋応用シーン以外の指紋応用シーンに進入することを指示する操作を傍受した場合、スリープ命令を前記第２指紋走査モジュールに送信することを更に含む、請求項１に記載の指紋走査方法。
【請求項６】
前記第２指紋走査モジュールへスリープ命令の送信と同時に又はその前に、
前記第１指紋走査モジュールがスリープモードにあるか否かを検出することと、
前記第１指紋走査モジュールがスリープモードにあることを検出した場合、ウェイクアップ命令を前記第１指紋走査モジュールに送信することとを更に含む、請求項５に記載の指紋走査方法。
【請求項７】
第１指紋走査モジュール及び第２指紋走査モジュールを含む移動端末において、
前記第１指紋走査モジュールの走査領域に対して行われた操作を傍受する傍受モジュールと、
所定の指紋応用シーンに進入することを指示する操作を傍受した場合、動作モードに進入するように前記第２指紋走査モジュールに指示するためのウェイクアップ命令を前記第２指紋走査モジュールに送信する第１送信モジュールとを含み、
ここで、前記第１指紋走査モジュールの走査領域は、前記第２指紋走査モジュールの走査領域よりも大きく、前記第２指紋走査モジュールの解像度は、前記第１指紋走査モジュールの解像度よりも大きい、移動端末。
【請求項８】
所定の指紋応用シーンに進入することを指示する操作を傍受した場合、スリープモードに進入するように前記第１指紋走査モジュールに指示するためのスリープ命令を前記第１指紋走査モジュールに送信する第２送信モジュールを更に含む、請求項７に記載の移動端末。
【請求項９】
前記第２指紋走査モジュールで収集された指紋画像を特定する第１特定モジュールと、
前記指紋画像を、前記第２指紋走査モジュールの解像度に基づいて収集された予め記憶された第１指紋画像と比較して比較結果を取得する第１比較モジュールと、
前記比較結果に基づいて、前記所定の指紋応用シーンに対応する承認条件を前記指紋画像が満たすか否かを特定する第２特定モジュールとを更に含む、請求項７に記載の移動端末。
【請求項１０】
前記移動端末のタッチスクリーンにおける目標領域に対しマーキング処理を行うマーキングモジュールを更に含み、前記目標領域は前記第２指紋走査モジュールの走査領域に対応する、請求項７に記載の移動端末。
【請求項１１】
前記所定の指紋応用シーン以外の指紋応用シーンに進入することを指示する操作を傍受した場合、スリープ命令を前記第２指紋走査モジュールに送信する第３送信モジュールを更に含む、請求項７に記載の移動端末。
【請求項１２】
前記第１指紋走査モジュールがスリープモードにあるか否かを検出する検出モジュールと、
前記第１指紋走査モジュールがスリープモードにあることを検出した場合、ウェイクアップ命令を前記第１指紋走査モジュールに送信する第４送信モジュールとを更に含む、請求項１１に記載の移動端末。
【請求項１３】
メモリと、プロセッサと、前記メモリに記憶されて前記プロセッサで動作可能なプログラムを含む移動端末であって、
前記プログラムが前記プロセッサによって実行されると、請求項１〜６のいずれか一項に記載の指紋走査方法が実現される、移動端末。
【請求項１４】
プログラムが記憶されているコンピュータ読み取り可能な記憶媒体であって、
前記プログラムがプロセッサによって実行されると、請求項１〜６のいずれか一項に記載の指紋走査方法が実現される、コンピュータ読み取り可能な記憶媒体。
【発明の詳細な説明】
【技術分野】
【０００１】
本願は、２０１８年３月３０日に中国特許庁に提出された中国特許出願２０１８１０２７５９９１．２の優先権を主張し、その全ての内容が援用によりここに取り込まれる。
本開示は、端末分野に係り、特に指紋走査方法及び移動端末に係る。
【背景技術】
【０００２】
指紋認識は、通常、指紋画像を取得するように、手の指紋表面の模様をアレイで取得して行われる。現在、よく知られている指紋認識技術としては、コンデンサ方式、光電方式、超音波方式などがある。移動端末に応用されるコンデンサ方式の指紋認識技術を例にとると、タッチスクリーンの内部には、約１万個の小型化されたコンデンサが含まれ、コンデンサアレイを構成する（図１参照）。ユーザがタッチスクリーンに手の指を置くと、皮膚とタッチスクリーンの導体板とがコンデンサを構成する。異なる位置の指紋の山と谷との間の距離が異なるため、各ユニットのコンデンサが指紋の尾根と畝との間の距離の相違に応じて、各セルの静電容量が変化し、その静電容量の違いに応じて異なる電圧が発生し、指紋画像が得られる。
【０００３】
しかしながら、銀行アプリの起動、支払い、送金など、セキュリティ要件が高い特定の指紋応用シーンに直面する場合、現在の全画面指紋認識スキームによって提供可能な解像度は、セキュリティ要件を満たしていないという問題がある。一方、例えば、Ｎ×Ｍのコンデンサアレイを２Ｎ×２Ｍのコンデンサアレイとするように、タッチスクリーンにおけるアレイの密度を高めて解像度を高める方式では、移動端末の消費電力を大幅に上昇させ、ひいては移動端末の持続力に影響を与える。
【０００４】
このため、関連技術では、高解像度と低消費電力とを同時に満たすことができないという問題があった。
【発明の概要】
【発明が解決しようとする課題】
【０００５】
本開示の実施例は、高解像度と低消費電力とを同時に満たすことができないという関連技術の問題を解決するために、指紋走査方法を提供する。
【課題を解決するための手段】
【０００６】
第１態様として、第１指紋走査モジュール及び第２指紋走査モジュールを含む移動端末に応用される指紋走査方法を提供する。該方法において、前記第１指紋走査モジュールの走査領域に対して行われた操作を傍受することと、所定の指紋応用シーンに進入することを指示する操作を傍受した場合、動作モードに進入するように前記第２指紋走査モジュールに指示するためのウェイクアップ命令を前記第２指紋走査モジュールに送信することとを含む。ここで、前記第１指紋走査モジュールの走査領域は、前記第２指紋走査モジュールの走査領域よりも大きく、前記第２指紋走査モジュールの解像度は、前記第１指紋走査モジュールの解像度よりも大きい。
【０００７】
第２態様として、第１指紋走査モジュール及び第２指紋走査モジュールを含む移動端末を提供し、前記第１指紋走査モジュールの走査領域に対して行われた操作を傍受する傍受モジュールと、所定の指紋応用シーンに進入することを指示する操作を傍受した場合、動作モードに進入するように前記第２指紋走査モジュールに指示するためのウェイクアップ命令を前記第２指紋走査モジュールに送信する第１送信モジュールとを更に含む。ここで、前記第１指紋走査モジュールの走査領域は、前記第２指紋走査モジュールの走査領域よりも大きく、前記第２指紋走査モジュールの解像度は、前記第１指紋走査モジュールの解像度よりも大きい。
【０００８】
第３態様として、プロセッサと、メモリと、前記メモリに記憶されて前記プロセッサで動作可能なプログラムを含む移動端末を提供し、前記プログラムが前記プロセッサによって実行されると、第１態様に記載の方法のステップが実現される。
【０００９】
第４態様として、プログラムが記憶されているコンピュータ読み取り可能な記憶媒体を提供し、前記プログラムがプロセッサによって実行されると、第１態様に記載の方法のステップが実現される。
【発明の効果】
【００１０】
本開示の実施例において、走査領域を大きく、解像度を低くした第１指紋走査モジュールと、走査領域を小さく、解像度を高くした第２指紋走査モジュールとを設けることによって、指紋応用シーンで要求される解像度に応じて、第１指紋走査モジュールと第２指紋走査モジュールを動的に切り替える。本開示の実施例は、指紋走査モジュールを１つ用いた関連技術の構成に比べて、特殊な指紋応用シーンで要求される高い解像度を満たしながら、走査時の消費電力を合理的な範囲に抑え、移動端末の持続力を確保することができるので、高解像度と低消費電力を同時に満たすという利点がある。
【００１１】
ここで説明する図面は、本開示を更に理解するために提供され、本開示の一部を構成する。本開示の例示的な実施例及びその説明は、本開示を解釈するために用いられるものであり、本開示に対する不当な限定を構成しない。
【図面の簡単な説明】
【００１２】
【図１】本開示に係る全画面指紋走査ドットマトリクスにおける第１走査ドットマトリクスの概略図である。
【図２】本開示に係る全画面指紋走査ドットマトリクスにおける第２走査ドットマトリクスの概略図である。
【図３】本開示の実施例１に係る指紋走査方法のフローチャートである。
【図４】本開示の実施例１に係る指紋認識方法のフローチャートである。
【図５】本開示の実施例２に係る指紋走査方法のフローチャートである。
【図６】本開示の実施例３に係る指紋走査方法のフローチャートである。
【図７】本開示の実施例３に係る電子スイッチの構造図である。
【図８】本開示の実施例４に係る移動端末の構造図である。
【図９】本開示の実施例５に係る移動端末の構造図である。
【発明を実施するための形態】
【００１３】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００１４】
なお、本開示の１つの応用シーンは、以下のものである。移動端末は、第１指紋走査モジュール及び第２指紋走査モジュールを含み、前記第１指紋走査モジュールの走査領域は、前記第２指紋走査モジュールの走査領域よりも大きく、前記第２指紋走査モジュールの解像度は、前記第１指紋走査モジュールの解像度よりも大きい。
【００１５】
ここで、第１指紋走査モジュールに対応する走査ドットマトリクス、第２指紋走査モジュールに対応する走査ドットマトリクスは、それぞれ、図１に示す走査ドットマトリクス（ＴＸ１−ＴＸ６）＊（ＲＸ１−ＲＸ１２）、図２に示す走査ドットマトリクス（ＴＸ２＿１−ＴＸ２＿６）＊（ＲＸ２＿１−ＲＸ２＿１２）を参照し、それぞれ、第１走査ドットマトリクス、第２走査ドットマトリクスと表す。図１に示す第１走査ドットマトリクスは、関連技術の全画面の走査ドットマトリクスと同じものでよい。
【００１６】
これに基づいて、ユーザが移動端末を操作し、ロック解除や支払いなどの指紋応用シーンにジャンプした場合、指紋応用シーンのカテゴリに応じて、第１走査ドットマトリクス又は第２走査ドットマトリクスによる指紋走査処理を選択することができる。
【００１７】
指紋応用シーンの分類としては、具体的には、以下のものが挙げられる。指紋応用シーンで要求されるセキュリティの高さに基づいて、画面ウェイクアップのロック解除などのセキュリティ要件が低い指紋応用シーンを第１種類に分類し、銀行ソフトウェアログインのロック解除、支払い、振り替え等のセキュリティ要件が高い指紋応用シーンを第２種類に分類する。
【００１８】
ここで、セキュリティ要件の高さの判断は、移動端末がビッグデータに基づいて生成し、出荷設定の一部とすることができる。もちろん、ユーザが指紋応用シーンの分類インタフェースに進入することにより、各指紋応用シーンのカテゴリを自ら調整したり、各カテゴリにおける指紋応用シーンを追加／削除したりすることも可能である。
【００１９】
この分類方式に基づいて、第１種類の指紋応用シーンについては、図１に示される第１走査ドットマトリクスを用いて走査し、第２種類の指紋応用シーンについては、図２に示される第２走査ドットマトリクスを用いて走査する。
【００２０】
また、ここでは２種類の走査ドットマトリクス及び２種類の指紋応用シーンのみを挙げているが、３種類以上の走査ドットマトリクス、３種類以上の指紋応用シーンに対しても適用可能であることは、当業者には容易に理解できる。
【００２１】
本応用シーンにおいて、移動端末又は移動通信端末とは、移動中に使用されるコンピュータ機器を指し、広義には、携帯電話、ノートパソコン、タブレットパソコン、ＰＯＳ装置、及び車載コンピュータを含む。しかし、多くの場合、携帯電話又は複数のアプリケーション機能を有するスマートフォン及びタブレットパソコンを指す。以下、説明の便宜上、携帯電話を例に記載する。
【００２２】
以下、本明細書の各実施例が提供する技術的手段を、図面を参照しながら詳細に説明する。
【００２３】
（実施例１）
図３は、本開示の実施例１に係る指紋走査方法のフローチャートである。図３に示すように、該方法は、例えば携帯電話のプロセッサによって実行され、具体的には、第１指紋走査モジュールの走査領域に対して行われた操作を傍受するステップ３２と、所定の指紋応用シーンに進入することを指示する操作を傍受した場合、第２指紋走査モジュールに対し、動作モードに進入するように前記第２指紋走査モジュールに指示するためのウェイクアップ命令を送信するステップ３４とを含む。
【００２４】
ステップ３２及びステップ３４の一実現態様は、以下のものであることが理解される。ユーザの操作に基づいて、ある機能プログラムが起動されると、携帯電話は、指紋応用シーンにジャンプする。該機能プログラムに対応するソフトウェアは、同時に、進入する指紋応用シーンを指示するための指示情報を生成して携帯電話プロセッサに送信し、プロセッサは、該指紋応用シーンがステップ３４における所定の指紋応用シーンであるか否かを特定する。具体的には、以下の例が挙げられる。携帯電話プロセッサは、該指示情報に対応する指紋応用シーンを、予め確立されたシーンライブラリの指紋応用シーンとマッチングして、該指示情報に対応する指紋応用シーンのカテゴリを特定する。例えば、まず、上記応用シーンのうち第２種類の指紋応用シーンを所定の指紋応用シーンとしてシーンライブラリを構築し、それから、該指示情報に対応する指紋応用シーンについて、その識別子と第２種類の指紋応用シーンの識別子とを一対一でマッチングして、シーンライブラリに存在するか否かを特定する。イエスの場合、所定の指紋応用シーンであると特定し、第２指紋走査モジュールを用いて指紋走査動作を行うように第２指紋走査モジュールにウェイクアップ命令を送信し、ノーの場合、所定の指紋応用シーンではないと特定し、第１指紋走査モジュールを用いて指紋走査動作を行う。
【００２５】
第２指紋走査モジュールを用いて指紋走査動作を行うシーンについては、図４を参照する。その具体的な指紋認識プロセスは、具体的には、以下のように行われる。
【００２６】
ステップ４２において、第２指紋走査モジュールで収集された指紋画像を特定する。動作モードに進入すると、第２指紋走査モジュールは、図２に示される６＊１２のドットマトリクスとして例示される第２走査ドットマトリクスの走査を駆動することが理解される。ここで、ＴＸは、送信器であり、ＲＸは、受信器である。
【００２７】
ユーザが、図２に示す携帯電話の左下隅など、第２指紋走査モジュールの走査領域内に手の指を置くと、第２指紋走査モジュールは、背景技術で説明した指紋の収集原理に基づいて、その指紋データを収集し、対応する指紋画像を生成する。
【００２８】
また、携帯電話は、ユーザが第２指紋走査モジュールの走査領域の範囲を容易に知るために、携帯電話のタッチスクリーン内の目標領域に対してマーキング処理を行い、該目標領域は前記第２指紋走査モジュールの走査領域に対応する。マーキング方式として、例えば、目標領域に枠を付すことや、目標領域の中心点を矢印で示すことなどが挙げられる。
【００２９】
ステップ４４において、指紋画像を、予め記憶された第１指紋画像と比較し、比較結果を取得する。なお、指紋応用シーンによって要求されるセキュリティが異なることに対応し、要件される解像度も異なる。従って、セキュリティを提供し、指紋認識の速度を向上させるために、ステップ４４を実行する前に、本方法は、指紋を入力するステップを更に含む。具体的には、異なる解像度を必要とする指紋応用シーンについては、それぞれ対応する解像度の基準指紋画像を入力する。例えば、上記ステップ３４における所定の指紋応用シーンについては、前記第２指紋走査モジュールの解像度に基づいて、ユーザの指紋画像を収集し、予め記憶された第１指紋画像として保存する。
【００３０】
これに基づいて、ステップ４４の一実現態様は、所定の指紋応用シーンの識別子に基づいて、それに対応する第１指紋画像を予め確立された指紋画像ライブラリから検索し、それから、第２指紋走査モジュールで採取された指紋画像と該第１指紋画像とを比較して、両者の一致度を特定する。
【００３１】
ステップ４６において、指紋画像が所定の指紋応用シーンに対応する承認条件を満たすか否かを特定する。なお、ステップ４６の一実現態様は、所定の指紋応用シーンの識別子に基づいて、それに対応する認証条件を特定し、例えば、一致度が８０％より大きい。指紋応用シーンで要求されるセキュリティが高いほど、要求される承認条件も厳しくなることは容易に理解される。
【００３２】
指紋画像と第１指紋画像との間の一致度が要求される一致度条件を満たすか否かを判断し、ノーであればステップ４８を実行し、イエスであればステップ４１０を実行する。
【００３３】
ステップ４８において、承認に失敗する。
【００３４】
ステップ４１０において、承認に成功する。
【００３５】
なお、ステップ４８及びステップ４１０において、承認成功／承認失敗の結果を特定した後に、更に、承認成功／承認失敗の結果を現在の画面に表示して、再度の指紋走査を行うなどのプロンプト操作を行うようにしてもよい。
【００３６】
また、１つの実行可能な実現態様において、第２指紋走査モジュールは、指紋の走査動作を完了することができるので、指紋の走査に必要な電力消費を低減するために、所定の指紋応用シーンに進入することを指示する操作を傍受したと特定した場合、スリープモードに進入するように前記第１指紋走査モジュールに指示するスリープ命令を更に前記第１指紋走査モジュールに送信し、不要な電力消費の損失を回避することができる。
【００３７】
このように、本実施例では、走査領域を大きく、解像度を低くした第１指紋走査モジュールと、走査領域を小さく、解像度を高くした第２指紋走査モジュールとを設けることによって、指紋応用シーンで要求される解像度に応じて、第２指紋走査モジュールで指紋走査動作を行うように動的に切り替える。本開示の実施例は、指紋走査モジュールを１つ用いた関連技術の構成に比べて、特殊な指紋応用シーンで要求される高い解像度を満たしながら、走査時の消費電力を合理的な範囲に抑え、移動端末の持続力を確保することができるので、高解像度と低消費電力を同時に満たすという利点がある。
【００３８】
（実施例２）
図５は、本開示の実施例２に係る指紋走査方法のフローチャートである。図５に示すように、該方法は、携帯電話プロセッサによって実行され、具体的には、以下のステップを含んでもよい。
【００３９】
ステップ５２において、他の指紋応用シーンに進入することを指示する操作を傍受したか否かを検出する。イエスであれば、ステップ５４を実行し、ノーであれば、終了することが理解される。
【００４０】
ここで、指示を受信したか否かを検出するステップは、ステップ３２の実現態様と同様であるので、ここでは説明を省略する。
【００４１】
また、ステップ５２における他の指紋応用シーンは、上述した所定の指紋応用シーン以外の指紋応用シーンである。例えば、所定の指紋応用シーンが上記の応用シーンのうちの第２種類の指紋応用シーンである場合、他の指紋応用シーンは、第１種類の指紋応用シーンであってもよいし、分類されない指紋応用シーンであってもよい。
【００４２】
ステップ５４において、スリープ命令を第２指紋走査モジュールに送信する。
【００４３】
なお、ステップ５２及び５４については、実施例１に記載の携帯電話が第２指紋走査モジュールを用いて指紋走査作業を行っていることに加えて、本実施例は、更に第１指紋走査モジュールに戻し切り替える具体的な構成を開示する。その一実現態様は、例えば、前記第１指紋走査モジュールが動作モードにあるか否かを検出する。前記第１指紋走査モジュールがスリープモードにあることを検出した場合、前記第１指紋走査モジュールにウェイクアップ命令を送信する。
【００４４】
上述のように、第２指紋走査モジュールをウェイクアップした場合、スリープモードに進入するように第１指紋モジュールに指示することがない場合もあり得る。従って、まず第１指紋モジュールがスリープモードにあるか否かを検出し、ノーであれば、第１指紋走査モジュールが指紋走査動作中であることを示し、第１指紋モジュールをウェイクアップする必要がない。第１指紋モジュールがスリープモードにあるか否かの検出がイエスであれば、第２指紋走査モジュールがスリープモードに進入する前、又は同時に、第２指紋走査モジュールがスリープモードに入って第１指紋走査モジュールがウェイクアップしていない真空期間が生じないように、第１指紋走査モジュールをウェイクアップしておく必要があることを示し、切り替え中に移動端末の指紋走査、認識機能のシームレス化を確保する。
【００４５】
切り替えが完了した後、第１指紋走査モジュールを用いて指紋走査作業を行うシーンについては、その具体的な指紋認識プロセスは、具体的には、前記第１指紋走査モジュールで収集された指紋画像を特定することと、前記指紋画像を、前記第１指紋走査モジュールの解像度に基づいて収集された予め記憶された第２指紋画像と比較して比較結果を取得することと、前記比較結果に基づいて、前記の前記所定の指紋応用シーン以外の指紋応用シーンに対応する承認条件を前記指紋画像が満たすか否かを特定することとを含む。
【００４６】
該指紋認識プロセスは、図４に対応する指紋認識プロセスと同様であるので、ここでは説明を省略する。
【００４７】
このように、本実施例では、走査領域を大きく、解像度を低くした第１指紋走査モジュールと、走査領域を小さく、解像度を高くした第２指紋走査モジュールとを設けることによって、指紋応用シーンで要求される解像度に応じて、第１指紋走査モジュールで指紋走査動作を行うように動的に切り替える。本開示の実施例は、指紋走査モジュールを１つ用いた関連技術の構成に比べて、特殊な指紋応用シーンで要求される高い解像度を満たしながら、走査時の消費電力を合理的な範囲に抑え、移動端末の持続力を確保することができるので、高解像度と低消費電力を同時に満たすという利点がある。
【００４８】
（実施例３）
図６は、本開示の実施例３に係る指紋走査方法のフローチャートである。図６に示すように、該方法は、携帯電話プロセッサによって実行され、具体的には、以下のステップを含んでもよい。
【００４９】
ステップ６２において、第１指紋画像／第２指紋画像を入力する。
【００５０】
ユーザ操作に基づいて指紋登録インタフェースに進入することは容易に理解される。ユーザは、プロンプトに従って指紋画像を入力する。具体的には、ユーザは、指紋応用シーンのカテゴリを選択し、携帯電話は、そのカテゴリの指紋応用シーンに対応する指紋走査モジュールをウェイクアップし、それから、ウェイクアップした指紋走査モジュールに基づいてユーザの指紋画像をそのカテゴリの基準指紋画像として取得し、入力された指紋画像の解像度が、そのカテゴリの指紋応用シーンが要求する解像度に対応することを実現する。
【００５１】
ここで、指紋走査モジュールのウェイクアップ方式は、以下の電子スイッチに関する部分の記載を参照する。
【００５２】
ステップ６４において、進入した指紋応用シーンが所定のシーンであるか否かを検出する。
【００５３】
なお、指紋応用シーンに進入することを指示する操作を傍受した場合、該指示に対応する指紋応用シーンの識別子が、所定の指紋応用シーンの識別子セットに属するか否かを検出する。イエスであれば、該指紋応用シーンが所定のものであると特定し、ステップ６６を実行するが、ノーであれば、該指紋応用シーンが所定のものではないと特定し、ステップ６１０を実行する。
【００５４】
ステップ６６において、第２指紋走査モジュールをウェイクアップするために電子スイッチを第２状態に制御する。
【００５５】
図７に示される電子スイッチを参照する。進入する指紋応用シーンが所定の指紋応用シーンであることを知ると、携帯電話プロセッサが第１命令を電子スイッチに送信することによって、電子スイッチを第２状態に切り替えてＲＸ２＿１−ＲＸ２＿１２及びＴＸ２＿１−ＴＸ２＿６をオンにして、図２に示される走査ドットマトリクスを形成する。
【００５６】
ステップ６８において、高解像度の指紋画像を取得する。
【００５７】
ステップ６１０において、第１指紋走査モジュールをウェイクアップするために電子スイッチを第１状態に制御する。
【００５８】
図７に示される電子スイッチを参照する。進入する指紋応用シーンが所定の指紋応用シーンではないことを知ると、携帯電話プロセッサが第２命令を電子スイッチに送信することによって、電子スイッチを第１状態に切り替えてＲＸ１＿１−ＲＸ１＿１２及びＴＸ１＿１−ＴＸ１＿６をオンにして、図１に示される走査ドットマトリクスを形成する。
【００５９】
ステップ６１２において、低解像度の指紋画像を取得する。
【００６０】
また、第１指紋走査モジュール／第２指紋走査モジュールをウェイクアップするステップの一実現態様は、以下のものである。第１指紋走査モジュールと第２指紋走査モジュールは、同一の指紋駆動チップに対応する。該指紋駆動チップは、図７に示す電子スイッチを内蔵する。電子スイッチが第２状態に切り替えられると、該指紋駆動チップは、第２指紋走査モジュールとしてＲＸ２＿１−ＲＸ２＿１２とＴＸ２＿１−ＴＸ２＿６を駆動することができる。電子スイッチが第１状態に切り替えられると、該指紋駆動チップは、第１指紋走査モジュールとしてＲＸ１＿１−ＲＸ１＿１２及びＴＸ１＿１−ＴＸ１＿６を駆動することができる。
【００６１】
その別の実現態様は、以下のものである。第１指紋走査モジュール、第２指紋走査モジュールは、２つの指紋駆動チップに対応し、その両方がそれぞれＲＸ１＿１−ＲＸ１＿１２及びＴＸ１＿１−ＴＸ１＿６、ＲＸ２＿１−ＲＸ２＿１２及びＴＸ２＿１−ＴＸ２＿６を駆動し、その両方が電子スイッチによって電源を入れる。電子スイッチが第２状態に切り替えられると、第２指紋走査モジュールがオンされて指紋走査作業が行われる。電子スイッチが第１状態に切り替えられると、第１指紋走査モジュールがオンにされて指紋走査作業が行われる。
【００６２】
その後の指紋認識、承認などのステップは、上記実施例１や実施例２で説明したので、ここでは説明しない。
【００６３】
このように、本実施例では、走査領域を大きく、解像度を低くした第１指紋走査モジュールと、走査領域を小さく、解像度を高くした第２指紋走査モジュールとを設けることによって、指紋応用シーンで要求される解像度に応じて、第１指紋走査モジュールと第２指紋走査モジュールを動的に切り替える。本開示の実施例は、指紋走査モジュールを１つ用いた関連技術の構成に比べて、特殊な指紋応用シーンで要求される高い解像度を満たしながら、走査時の消費電力を合理的な範囲に抑え、移動端末の持続力を確保することができるので、高解像度と低消費電力を同時に満たすという利点がある。
【００６４】
（実施例４）
図８は、本開示の実施例４に係る移動端末の構造図である。図８に示すように、該移動端末は、第１指紋走査モジュール及び第２指紋走査モジュールを含み、第１指紋走査モジュールの走査領域に対して行われた操作を傍受する傍受モジュール８１と、所定の指紋応用シーンに進入することを指示する操作を傍受した場合、動作モードに進入するように前記第２指紋走査モジュールに指示するためのウェイクアップ命令を前記第２指紋走査モジュールに送信する第１送信モジュール８２とを更に含む。ここで、前記第１指紋走査モジュールの走査領域は、前記第２指紋走査モジュールの走査領域よりも大きく、前記第２指紋走査モジュールの解像度は、前記第１指紋走査モジュールの解像度よりも大きい。
【００６５】
選択可能に、所定の指紋応用シーンに進入することを指示する操作を傍受した場合、スリープモードに進入するように前記第１指紋走査モジュールに指示するためのスリープ命令を前記第１指紋走査モジュールに送信する第２送信モジュールを更に含む。
【００６６】
選択可能に、前記第２指紋走査モジュールで収集された指紋画像を特定する第１特定モジュールと、前記指紋画像を、前記第２指紋走査モジュールの解像度に基づいて収集された予め記憶された第１指紋画像と比較して比較結果を取得する第１比較モジュールと、前記比較結果に基づいて、前記所定の指紋応用シーンに対応する承認条件を前記指紋画像が満たすか否かを特定する第２特定モジュールとを更に含む。
【００６７】
選択可能に、前記移動端末のタッチスクリーンにおける目標領域に対しマーキング処理を行うマーキングモジュールを更に含み、前記目標領域は前記第２指紋走査モジュールの走査領域に対応する。
【００６８】
選択可能に、前記所定の指紋応用シーン以外の指紋応用シーンに進入することを指示する操作を傍受した場合、スリープ命令を前記第２指紋走査モジュールに送信する第３送信モジュールを更に含む。
【００６９】
選択可能に、前記第１指紋走査モジュールがスリープモードにあるか否かを検出する検出モジュールと、前記第１指紋走査モジュールがスリープモードにあることを検出した場合、ウェイクアップ命令を前記第１指紋走査モジュールに送信する第４送信モジュールとを更に含む。
【００７０】
選択可能に、前記第１指紋走査モジュールで収集された指紋画像を特定する第３特定モジュールと、前記指紋画像を、前記第１指紋走査モジュールの解像度に基づいて収集された予め記憶された第２指紋画像と比較して比較結果を取得する第２比較モジュールと、前記比較結果に基づいて、前記の前記所定の指紋応用シーン以外の指紋応用シーンに対応する承認条件を前記指紋画像が満たすか否かを特定する第４特定モジュールとを更に含む。
【００７１】
本開示の実施例に係る移動端末は、図３〜図６に対応する方法の実施例において移動端末によって実現される各プロセスを実現することができるので、重複を避けるために、ここでは繰り返して記載しない。
【００７２】
このように、本実施例では、走査領域を大きく、解像度を低くした第１指紋走査モジュールと、走査領域を小さく、解像度を高くした第２指紋走査モジュールとを設けることによって、指紋応用シーンで要求される解像度に応じて、第１指紋走査モジュールと第２指紋走査モジュールを動的に切り替える。本開示の実施例は、指紋走査モジュールを１つ用いた関連技術の構成に比べて、特殊な指紋応用シーンで要求される高い解像度を満たしながら、走査時の消費電力を合理的な範囲に抑え、移動端末の持続力を確保することができるので、高解像度と低消費電力を同時に満たすという利点がある。
【００７３】
（実施例５）
図９は、本開示の実施例５に係る移動端末の構造図である。図９に示すように、該移動端末１００は、無線周波数ユニット１０１と、ネットワークモジュール１０２と、オーディオ出力ユニット１０３と、入力ユニット１０４と、センサ１０５と、表示ユニット１０６と、ユーザ入力ユニット１０７と、インタフェースユニット１０８と、メモリ１０９と、プロセッサ１１０と、電源１１１などの構成要素を含むが、これらに限定されない。図９に示される移動端末の構造は、移動端末を限定するものではなく、移動端末は、図示されるよりも多い又は少ない構成要素を含むことができ、又は特定の構成要素を組み合わせることができ、又は異なる構成要素の配置を含むことができることを、当業者は理解可能である。本開示の実施例において、移動端末は、携帯電話、タブレットパソコン、ノートパソコン、パームトップパソコン、車載端末、ウェアラブルデバイス及び歩数計などを含むが、それらに限定されない。
【００７４】
ここで、前記移動端末は、第１指紋走査モジュール及び第２指紋走査モジュールを含む。前記第１指紋走査モジュールの走査領域は、前記第２指紋走査モジュールの走査領域よりも大きく、前記第２指紋走査モジュールの解像度は、前記第１指紋走査モジュールの解像度よりも大きい。プロセッサ１１０は、第１指紋走査モジュールの走査領域に対して行われた操作を傍受し、所定の指紋応用シーンに進入することを指示する操作を傍受した場合、動作モードに進入するように前記第２指紋走査モジュールに指示するためのウェイクアップ命令を前記第２指紋走査モジュールに送信する。
【００７５】
よって、本実施例は、走査領域を大きく、解像度を低くした第１指紋走査モジュールと、走査領域を小さく、解像度を高くした第２指紋走査モジュールとを設けることによって、指紋応用シーンで要求される解像度に応じて、第２指紋走査モジュールで指紋走査動作を行うように動的に切り替える。本開示の実施例は、指紋走査モジュールを１つ用いた関連技術の構成に比べて、特殊な指紋応用シーンで要求される高い解像度を満たしながら、走査時の消費電力を合理的な範囲に抑え、移動端末の持続力を確保することができるので、高解像度と低消費電力を同時に満たすという利点がある。
【００７６】
なお、本開示の実施例において、無線周波数ユニット１０１は、情報の送受信又は通話中で信号の送受信に用いられ、具体的に、基地局からの下りデータを受信した後、プロセッサ１１０による処理に供し、また、上りデータを基地局に送信する。一般に、無線周波数ユニット１０１は、アンテナ、少なくとも１つの増幅器、トランシーバ、結合器、低雑音増幅器、デュプレクサなどを含むが、それらに限定されない。また、無線周波数ユニット１０１は、無線通信システムを介してネットワークや他の機器と通信を行うこともできる。
【００７７】
移動端末は、ネットワークモジュール１０２を介して、電子メールの送受信、ウェブページの閲覧、ストリーミングメディアへのアクセスを支援するなど、無線ブロードバンドインターネットアクセスをユーザに提供する。
【００７８】
オーディオ出力ユニット１０３は、無線周波数ユニット１０１やネットワークモジュール１０２が受信したオーディオデータや、メモリ１０９に記憶されたオーディオデータを音声信号に変換して音声として出力することができる。また、オーディオ出力ユニット１０３は、移動端末１００が実行する特定の機能に関するオーディオ（例えば、呼出信号着信音、メッセージ着信音等）を出力してもよい。オーディオ出力ユニット１０３は、スピーカ、ブザー及びレシーバなどを含む。
【００７９】
入力ユニット１０４は、オーディオやビデオの信号を受信することに用いられる。入力ユニット１０４は、ビデオキャプチャモード又は画像キャプチャモードでカメラなどの画像キャプチャ装置によって取得された静止画又は動画の画像データを処理するＧＰＵ（Ｇｒａｐｈｉｃｓ  Ｐｒｏｃｅｓｓｉｎｇ  Ｕｎｉｔ）１０４１と、マイク１０４２とを含む。処理された画像フレームは、表示ユニット１０６上に表示される。ＧＰＵ１０４１で処理された画像フレームは、メモリ１０９（又は他の記憶媒体）に記憶されるか、又は無線周波数ユニット１０１又はネットワークモジュール１０２を介して送信される。マイク１０４２は、音声を受信し、オーディオデータに加工することができる。処理された音声データは、電話通話モードの場合、無線周波数ユニット１０１を介して移動体通信基地局に送信可能な形式に変換して出力することができる。
【００８０】
移動端末１００は、光センサ、モーションセンサ及び他のセンサのような少なくとも１つのセンサ１０５を更に含む。具体的には、光センサは、周辺光センサ及び近接センサを含む。周辺光センサは、周辺光の明暗に応じて表示パネル１０６１の輝度を調節し、近接センサは、移動端末１００が耳に移動したときに表示パネル１０６１及び／又はバックライトを消灯する。モーションセンサの１種として、加速度計センサは、様々な方向（一般的には３軸）の加速度の大きさを検出でき、静止時は重力の大きさ及び方向を検出でき、移動端末姿勢の認識（例えば、縦横画面切替、関連ゲーム、磁力計姿勢キャリブレーション）、振動認識関連機能（たとえば、歩数計、ストローク）などに用いることができる。センサ１０５は、指紋センサ、圧力センサ、虹彩センサ、分子センサ、ジャイロスコープ、気圧計、湿度計、温度計、赤外線センサなどを更に含むことができるが、ここでは枚挙しない。
【００８１】
表示ユニット１０６は、ユーザが入力した情報やユーザに提供した情報を表示するために用いられる。表示ユニット１０６は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）などからなる表示パネル１０６１を含んでもよい。
【００８２】
ユーザ入力ユニット１０７は、数字や文字情報の入力を受け付け、ユーザによる移動端末の設定や機能制御に関するキー信号の入力を行うことに用いられる。具体的に、ユーザ入力ユニット１０７は、タッチスクリーン１０７１と、その他の入力機器１０７２とを含む。タッチスクリーン１０７１は、タッチスクリーンとも呼ばれ、その上又は付近でのユーザのタッチ操作を取得可能である（たとえばユーザが指やスタイラスなどの任意の適切な物体や付属部材を用いたタッチスクリーン１０７１の上又はタッチスクリーン１０７１の付近での操作）。タッチスクリーン１０７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ１１０に送り、プロセッサ１１０からの命令を受信して実行する。なお、タッチスクリーン１０７１は、抵抗膜式、コンデンサ式、赤外線、表面弾性波など、種々の方式を用いて実現することができる。ユーザ入力ユニット１０７は、タッチスクリーン１０７１の他に、他の入力機器１０７２を含んでもよい。具体的に、他の入力機器１０７２は、物理的なキーボード、機能キー（例えば、音量調節キー、スイッチキーなど）、トラックボール、マウス、レバーを含むが、ここでは枚挙しない。
【００８３】
更に、タッチスクリーン１０７１は、表示パネル１０６１を覆い得る。タッチスクリーン１０７１は、その上又はその近くでタッチ操作を検出すると、プロセッサ１１０に送信して、タッチイベントのタイプを特定する。次いで、プロセッサ１１０は、タッチイベントのタイプに応じて、対応する視覚的出力を表示パネル１０６１に提供する。図９では、タッチスクリーン１０７１と表示パネル１０６１は、独立した２つの部品として移動端末の入出力機能を実現するが、実施例によっては、タッチスクリーン１０７１と表示パネル１０６１を統合化して移動端末の入出力機能を実現することもでき、具体的にここでは限定しない。
【００８４】
インタフェースユニット１０８は、外部装置と移動端末１００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット１０８は、外部装置から入力（たとえば、データ情報、電力など）を受信し、受信した入力を移動端末１００内の１つ以上の要素に伝送するために使用されてもよく、又は移動端末１００と外部装置との間でデータを伝送するために使用されてもよい。
【００８５】
メモリ１０９は、ソフトウェアプログラム及び様々なデータを記憶するために使用される。メモリ１０９は、オペレーティングシステム、少なくとも１つの機能に必要なアプリケーション（たとえば、音声再生機能、画像再生機能など）などを記憶することができるプログラム記憶領域と、データ記憶領域とを主に含んでもよい。データ記憶領域は、音声データや電話帳など、携帯電話機の使用に応じて作成されたデータを記憶することができる。更に、メモリ１０９は、高速ランダムアクセスメモリを含んでもよく、少なくとも１つの磁気ディスク記憶デバイス、フラッシュメモリデバイス、又は他の揮発性固体記憶デバイスなどの不揮発性メモリを含んでもよい。
【００８６】
プロセッサ１１０は、移動端末の制御センタであり、各種インタフェースや回線を用いて移動端末全体の各部を接続し、メモリ１０９に記憶されたソフトウェアプログラム及び／又はモジュールを実行、メモリ１０９に記憶されたデータを呼び出して移動端末の各種機能及び処理データを実行し、移動端末全体の監視を行う。プロセッサ１１０は、１つ以上の処理ユニットを含んでもよい。選択可能に、プロセッサ１１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ１１０に統合されなくてもよいことが理解される。
【００８７】
移動端末１００は、各構成要素に電力を供給するためのバッテリのような電源１１１を更に含んでもよい。選択可能に、電源１１１は、電源管理システムを介してプロセッサ１１０に論理的に接続されてもよく、電源管理システムを介して充電、放電、及び消費電力管理などを管理する機能を実現してもよい。
【００８８】
また、移動端末１００は、図示しない機能モジュールを更に含んでもよく、ここでの説明は省略する。
【００８９】
選択可能に、本開示の実施例は、プロセッサ１１０と、メモリ１０９と、メモリ１０９に記憶されて前記プロセッサ１１０で動作可能なコンピュータプログラムを含む移動端末を更に提供し、該コンピュータプログラムがプロセッサ１１０によって実行されると、上記指紋走査方法の実施例の各プロセスが実現され、且つ同じ技術効果を奏することもできるので、重複を避けるために、ここでは繰り返して記載しない。
【００９０】
本開示の実施例は、コンピュータプログラムが記憶されているコンピュータ読み取り可能な記憶媒体を更に提供し、当該コンピュータプログラムがプロセッサによって実行されると、上記指紋走査方法の実施例の各プロセスが実現され、且つ同じ技術効果を奏することもできるので、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【００９１】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【００９２】
以上の実施形態の記載から、上記実施例の方法が、ソフトウェアプラス必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。
【００９３】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021516826.tif 000003
【図２】
2021516826.tif 000004
【図３】
2021516826.tif 000005
【図４】
2021516826.tif 000006
【図５】
2021516826.tif 000007
【図６】
2021516826.tif 000008
【図７】
2021516826.tif 000009
【図８】
2021516826.tif 000010
【図９】
2021516826.tif 000011
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
第１指紋走査モジュール及び第２指紋走査モジュールを含む移動端末に応用される指紋走査方法において、
前記第１指紋走査モジュールの走査領域に対して行われた操作を傍受することと、
所定の指紋応用シーンに進入することを指示する操作を傍受した場合、動作モードに進入するように前記第２指紋走査モジュールに指示するためのウェイクアップ命令を前記第２指紋走査モジュールに送信することとを含み、
ここで、前記第１指紋走査モジュールの走査領域は、前記第２指紋走査モジュールの走査領域よりも大きく、前記第２指紋走査モジュールの解像度は、前記第１指紋走査モジュールの解像度よりも大きい、指紋走査方法。
【請求項２】
ウェイクアップ命令を前記第２指紋走査モジュールに送信した後に、
前記第２指紋走査モジュールで収集された指紋画像を特定することと、
前記指紋画像を、前記第２指紋走査モジュールの解像度に基づいて収集された予め記憶された第１指紋画像と比較して比較結果を取得することと、
前記比較結果に基づいて、前記所定の指紋応用シーンに対応する承認条件を前記指紋画像が満たすか否かを特定することとを更に含む、請求項１に記載の指紋走査方法。
【請求項３】
ウェイクアップ命令を前記第２指紋走査モジュールに送信した後に、
前記所定の指紋応用シーン以外の指紋応用シーンに進入することを指示する操作を傍受した場合、スリープ命令を前記第２指紋走査モジュールに送信することを更に含む、請求項１に記載の指紋走査方法。
【請求項４】
前記第２指紋走査モジュールへスリープ命令の送信と同時に又はその前に、
前記第１指紋走査モジュールがスリープモードにあるか否かを検出することと、
前記第１指紋走査モジュールがスリープモードにあることを検出した場合、ウェイクアップ命令を前記第１指紋走査モジュールに送信することとを更に含む、請求項３に記載の指紋走査方法。
【請求項５】
ウェイクアップ命令を前記第２指紋走査モジュールに送信した後に、
前記移動端末のタッチスクリーンにおける目標領域に対しマーキング処理を行うことを更に含み、前記目標領域は前記第２指紋走査モジュールの走査領域に対応する、請求項１に記載の指紋走査方法。
【請求項６】
所定の指紋応用シーンに進入することを指示する操作を傍受した場合、スリープモードに進入するように前記第１指紋走査モジュールに指示するためのスリープ命令を前記第１指紋走査モジュールに送信することを更に含む、請求項１に記載の指紋走査方法。
【請求項７】
第１指紋走査モジュール及び第２指紋走査モジュールを含む移動端末において、
前記第１指紋走査モジュールの走査領域に対して行われた操作を傍受する傍受モジュールと、
所定の指紋応用シーンに進入することを指示する操作を傍受した場合、動作モードに進入するように前記第２指紋走査モジュールに指示するためのウェイクアップ命令を前記第２指紋走査モジュールに送信する第１送信モジュールとを含み、
ここで、前記第１指紋走査モジュールの走査領域は、前記第２指紋走査モジュールの走査領域よりも大きく、前記第２指紋走査モジュールの解像度は、前記第１指紋走査モジュールの解像度よりも大きい、移動端末。
【請求項８】
前記第２指紋走査モジュールで収集された指紋画像を特定する第１特定モジュールと、
前記指紋画像を、前記第２指紋走査モジュールの解像度に基づいて収集された予め記憶された第１指紋画像と比較して比較結果を取得する第１比較モジュールと、
前記比較結果に基づいて、前記所定の指紋応用シーンに対応する承認条件を前記指紋画像が満たすか否かを特定する第２特定モジュールとを更に含む、請求項７に記載の移動端末。
【請求項９】
前記所定の指紋応用シーン以外の指紋応用シーンに進入することを指示する操作を傍受した場合、スリープ命令を前記第２指紋走査モジュールに送信する第３送信モジュールを更に含む、請求項７に記載の移動端末。
【請求項１０】
前記第１指紋走査モジュールがスリープモードにあるか否かを検出する検出モジュールと、
前記第１指紋走査モジュールがスリープモードにあることを検出した場合、ウェイクアップ命令を前記第１指紋走査モジュールに送信する第４送信モジュールとを更に含む、請求項９に記載の移動端末。
【請求項１１】
前記移動端末のタッチスクリーンにおける目標領域に対しマーキング処理を行うマーキングモジュールを更に含み、前記目標領域は前記第２指紋走査モジュールの走査領域に対応する、請求項７に記載の移動端末。
【請求項１２】
所定の指紋応用シーンに進入することを指示する操作を傍受した場合、スリープモードに進入するように前記第１指紋走査モジュールに指示するためのスリープ命令を前記第１指紋走査モジュールに送信する第２送信モジュールを更に含む、請求項７に記載の移動端末。
【請求項１３】
メモリと、プロセッサと、前記メモリに記憶されて前記プロセッサで動作可能なプログラムを含む移動端末であって、
前記プログラムが前記プロセッサによって実行されると、請求項１〜６のいずれか一項に記載の指紋走査方法が実現される、移動端末。
【請求項１４】
プログラムが記憶されているコンピュータ読み取り可能な記憶媒体であって、
前記プログラムがプロセッサによって実行されると、請求項１〜６のいずれか一項に記載の指紋走査方法が実現される、コンピュータ読み取り可能な記憶媒体。
【国際調査報告】
2021516826.tif 000012
2021516826.tif 000013
2021516826.tif 000014
2021516826.tif 000015